(57)【要約】【課題】照明に伴う消費電力と天板上の照らし具合とをユーザの好みに応じて選択できる学習家具用照明具を提供すること。【解決手段】学習家具用照明具１は、第１の長手光源６と第２の長手光源７と操作スイッチ１１とを含んでいる。第１の長手光源６は、学習机２の天板３の長さ方向に沿って配列される多数個のＬＥＤライト８を含んでいる。第２の長手光源７は、第１の長手光源６と平行に延びる細形蛍光ランプ９を含んでいる。操作スイッチ１１を操作することで、第１の長手光源６および第２の長手光源７のうちのどちらか一方または両方を点灯させ、さらに、点灯中の長手光源の光量を調整すれば、天板３の長さ方向全域における天板３上の照らし具合をいろいろと細かく調節（調光）できるとともに、所望の消費電力を実現することができる。【選択図】図２
2011120883.tif 000002
【特許請求の範囲】
【請求項１】
学習机の天板上を照明するための照明具であって、
前記天板の上方に、天板の長さ方向に沿って配列される多数個のＬＥＤライトを含む第１の長手光源と、
前記第１の長手光源に隣接配置され、細形蛍光ランプを含み、当該ランプが前記第１の長手光源と平行に延びる第２の長手光源と、
前記第１の長手光源および第２の長手光源を、個別に、点灯および消灯を行うための操作スイッチと、
を含むことを特徴とする、学習家具用照明具。
【請求項２】
学習机の天板上を照明するための照明具であって、
前記天板の上方に、天板の長さ方向に沿って配列される多数個のＬＥＤライトを含む第１の長手光源と、
前記第１の長手光源に隣接配置され、多数個のＬＥＤライトを含み、前記第１の長手光源と平行に延びる少なくとも一列の第２の長手光源と、
前記第１の長手光源および第２の長手光源を、個別に、点灯および消灯を行うための操作スイッチと、
を含むことを特徴とする、学習家具用照明具。
【請求項３】
学習机の天板上を照明するための照明具であって、
前記天板の上方に、天板の長さ方向に沿って配列される第１の長手光源と、
前記第１の長手光源の長さ方向両側もしくは片側一方または第１の長手光源に隣接配置され、多数個のＬＥＤライトを含み、前記第１の長手光源によって照明される天板上の照明領域の両側もしくは片側一方または照明領域の長さ方向に交差する領域を、前記第１の長手光源の照明領域と全部または一部が重複するように照明するための少なくとも１つのスポット照明用光源と、
前記第１の長手光源およびスポット照明用光源を、個別に、点灯および消灯を行うための操作スイッチと、
を含むことを特徴とする、学習家具用照明具。
【発明の詳細な説明】
【技術分野】
【０００１】
この発明は、学習机等の天板上を照明するための学習家具用照明具に関する。
【背景技術】
【０００２】
机の天板表面を上から臨むように配置されて天板上を照明する照明具が知られている（特許文献１参照）。特許文献１に記載の照明具は、点灯回路を内蔵した中央本体部と、中央本体部から左右に回動自在に取り付けられた１対の照明ヘッドとを有しており、各照明ヘッドを任意に回動させることにより、照明ヘッドに装着された蛍光灯で机の天板上の所望の位置を照らすことができる。
【先行技術文献】
【特許文献】
【０００３】
【特許文献１】特許第４２２６８０９号公報
【発明の概要】
【発明が解決しようとする課題】
【０００４】
最近では、単に天板上を照明できるだけでは足りず、照明に伴う消費電力と天板上の照らし具合とをユーザの好みに応じて選択できることが望まれている。
この発明は、かかる背景のもとになされたもので、照明に伴う消費電力と天板上の照らし具合とをユーザの好みに応じて選択できる学習家具用照明具を提供することを目的とする。
【課題を解決するための手段】
【０００５】
請求項１記載の発明は、学習机の天板上を照明するための照明具であって、前記天板の上方に、天板の長さ方向に沿って配列される多数個のＬＥＤライトを含む第１の長手光源と、前記第１の長手光源に隣接配置され、細形蛍光ランプを含み、当該ランプが前記第１の長手光源と平行に延びる第２の長手光源と、前記第１の長手光源および第２の長手光源を、個別に、点灯および消灯を行うための操作スイッチと、を含むことを特徴とする、学習家具用照明具である。
【０００６】
請求項２記載の発明は、学習机の天板上を照明するための照明具であって、前記天板の上方に、天板の長さ方向に沿って配列される多数個のＬＥＤライトを含む第１の長手光源と、前記第１の長手光源に隣接配置され、多数個のＬＥＤライトを含み、前記第１の長手光源と平行に延びる少なくとも一列の第２の長手光源と、前記第１の長手光源および第２の長手光源を、個別に、点灯および消灯を行うための操作スイッチと、を含むことを特徴とする、学習家具用照明具である。
【０００７】
請求項３記載の発明は、学習机の天板上を照明するための照明具であって、前記天板の上方に、天板の長さ方向に沿って配列される第１の長手光源と、前記第１の長手光源の長さ方向両側もしくは片側一方または第１の長手光源に隣接配置され、多数個のＬＥＤライトを含み、前記第１の長手光源によって照明される天板上の照明領域の両側もしくは片側一方または照明領域の長さ方向に交差する領域を、前記第１の長手光源の照明領域と全部または一部が重複するように照明するための少なくとも１つのスポット照明用光源と、前記第１の長手光源およびスポット照明用光源を、個別に、点灯および消灯を行うための操作スイッチと、を含むことを特徴とする、学習家具用照明具である。
【発明の効果】
【０００８】
請求項１記載の発明によれば、学習家具用照明具は、学習机の天板の上方に、第１の長手光源を含んでいる。第１の長手光源は、天板の長さ方向に沿って配列される多数個のＬＥＤライトを含んでいることから、これらのＬＥＤライトによって、照明に伴う消費電力の低減を図ることができるとともに、第１の長手光源の長寿命化を図ることができる。
また、学習家具用照明具は、第１の長手光源に隣接配置される第２の長手光源を含んでいる。第２の長手光源は、細形蛍光ランプを含み、このランプは、第１の長手光源と平行に延びている。そして、学習家具用照明具は、さらに操作スイッチを含んでおり、この操作スイッチを操作することによって、第１の長手光源および第２の長手光源を、個別に、点灯および消灯させることができる。
【０００９】
そのため、操作スイッチを操作することで、第１の長手光源および第２の長手光源のうちのどちらか一方または両方を点灯させれば、天板の長さ方向全域における天板上の照らし具合をいろいろと細かく調節（調光）できるとともに、所望の消費電力を実現することができる。
つまり、照明に伴う消費電力と天板上の照らし具合とをユーザの好みに応じて選択できる。
【００１０】
請求項２記載の発明によれば、学習家具用照明具は、学習机の天板の上方に、第１の長手光源と、第１の長手光源に隣接配置される少なくとも一列の第２の長手光源とを含んでいる。第１および第２の長手光源は、ともに、天板の長さ方向に沿って配列される多数個のＬＥＤライトを含んでいることから、これらのＬＥＤライトによって、照明に伴う消費電力の低減を図ることができるとともに、第１および第２の長手光源の長寿命化を図ることができる。
【００１１】
そして、学習家具用照明具は、さらに操作スイッチを含んでおり、この操作スイッチを操作することによって、第１の長手光源および第２の長手光源を、個別に、点灯および消灯させることができる。特に、第２の長手光源が一列ではなく、平行に2列、3列の構成であれば、第１の長手光源と共に3列以上の平行な光源列を備えるから、照明の仕方（照度および色の組合せ）を多彩にでき、所望の照明を得ることができる。
そのため、操作スイッチを操作することで、第１の長手光源および第２の長手光源のうちのどちらか一方または両方を点灯させれば、天板の長さ方向全域における天板上の照らし具合をいろいろと細かく調節（調光）できるとともに、所望の消費電力を実現することができる。
【００１２】
つまり、照明に伴う消費電力と天板上の照らし具合とをユーザの好みに応じて選択できる。
請求項３記載の発明によれば、学習家具用照明具は、学習机の天板の上方に、天板の長さ方向に沿って配列される第１の長手光源を含んでいる。
また、学習家具用照明具は、第１の長手光源の長さ方向両側または片側一方に設けられるスポット照明用光源を少なくとも１つ含んでいる。スポット照明用光源は、多数個のＬＥＤライトを含み、第１の長手光源によって照明される天板上の照明領域の両側もしくは片側一方または照明領域の長さ方向に交差する領域を、第１の長手光源の照明領域と一部重複するように照明する。これらのＬＥＤライトによって、照明に伴う消費電力の低減を図ることができるとともに、スポット照明用光源の長寿命化を図ることができる
そして、学習家具用照明具は、さらに操作スイッチを含んでおり、この操作スイッチを操作することによって、第１の長手光源およびスポット照明用光源を、個別に、点灯および消灯させることができる。
【００１３】
そのため、操作スイッチを操作することで、第１の長手光源およびスポット照明用光源のうちのいずれか１つまたはすべてを点灯させれば、天板の長さ方向全域（特に両側または片側一方）における天板上の照らし具合をいろいろと細かく調節（調光）できるとともに、所望の消費電力を実現することができる。
つまり、照明に伴う消費電力と天板上の照らし具合とをユーザの好みに応じて選択できる。
【図面の簡単な説明】
【００１４】
【図１】本発明に係る学習家具用照明具１が備え付けられた学習机２の斜視図である。
【図２】（ａ）は、第１の例に係る学習家具用照明具１の底面図であり、（ｂ）は、（ａ）のＡ−Ａ矢視断面を模式的に示した図である。
【図３】（ａ）は、学習家具用照明具１の電気回路を示した図であり、（ｂ）は、（ａ）において操作スイッチ１１について詳しく示した図であり、（ｃ）は学習家具用照明具１の電気回路の別の例を示した図である。
【図４】（ａ）は、第２の例に係る学習家具用照明具１の底面図であり、（ｂ）は、（ａ）のＢ−Ｂ矢視断面の要部を模式的に示した図である。
【図５】（ａ）は、第３の例に係る学習家具用照明具１の底面図であり、（ｂ）は、（ａ）のＣ−Ｃ矢視断面の要部を模式的に示した図である。
【図６】（ａ）は、第４の例に係る学習家具用照明具１の底面図であり、（ｂ）は、（ａ）のＤ−Ｄ矢視断面を模式的に示した図であり、（ｃ）は、（ｂ）においてスポット照明用光源１８の照射方向を変更した状態を示す図である。
【図７】（ａ）は、第５の例に係る学習家具用照明具１の底面図であり、（ｂ）は、（ａ）のＥ−Ｅ矢視断面を模式的に示した図であり、（ｃ）は、（ｂ）においてスポット照明用光源１８の照射方向を変更した状態を示す図である。
【図８】（ａ）は、第６の例による学習家具用照明具１の底面図であり、（ｂ）は、（ａ）のＦ−Ｆ矢視断面を模式的に示した図であり、（ｃ）は、この照明具１の照明領域を説明するための図解的な平面図である。
【発明を実施するための形態】
【００１５】
以下には、図面を参照して、この発明に係る学習家具用照明具１について具体的に説明する。
図１は、本発明に係る学習家具用照明具１が備え付けられた学習机２の斜視図である。
図１を参照して、この学習家具用照明具（以下では、単に「照明具」という。）１は、学習机２の天板３の上面を上方から臨む位置にあって、天板３上を照明するためにものである。ここで、天板３は、図１における左右方向において長手であり、その表面（上面）は、水平面であるとする。
【００１６】
照明具１は、図１では、学習机２において天板３より上方にある棚板４に固定されているが、これに限らず、天板３から上方へ延びるように立設された支柱２１（後述する図７（ｂ）および（ｃ）参照）に固定されてもよい。
照明具１は、左右方向に長手であって左右方向から見て上方へ円弧状に膨出するように折り曲げられた板状のセード５と、セード５の内側に収容されて上方から天板３を臨む光源（図示せず）と、光源の光を調節するための操作スイッチ１１（後述する図３参照）とを含んでいる。照明具１では、セード５が、前述した棚板４や支柱（図示せず）に固定される。また、セード５の長さ方向（左右方向）寸法は、天板３の長さ方向（左右方向）寸法とほぼ同じであり、ここでは９００ｍｍ程度である。
【００１７】
ここで、本発明に係る照明具１には、前述した光源の構成に応じて、第１〜第５の例ま
である。以下では、第１〜第５の例を、この順番で個別に説明する。
（１）第１の例
図２において、（ａ）は、第１の例に係る照明具１の底面図であり、（ｂ）は、（ａ）のＡ−Ａ矢視断面を模式的に示した図である。
【００１８】
図２（ａ）を参照して、第１の例に係る照明具１は、前述した光源として、第１の長手光源６と第２の長手光源７とを含んでいる。第１の長手光源６および第２の長手光源７は、ともに、左右方向に長手であり、それぞれの長さ（長手）方向寸法は、セード５の長さ方向（左右方向）寸法より少し小さい。
第１の長手光源６と第２の長手光源７とは、左右方向に平行に延びた状態で互いに隣接している。図２（ａ）では、第２の長手光源７が第１の長手光源６に対して上側（実際には、水平方向における奥側または手前側）から隣接しているが、逆（図２（ａ）において第２の長手光源７が第１の長手光源６に対して下側から隣接する構成）であっても構わない。
【００１９】
第１の例に係る照明具１において、第１の長手光源６は、左右方向に沿って配列される多数個（ここでは、２０個程度）のＬＥＤライト８を含んでいる。これらのＬＥＤライト８は、第１の長手光源６の左右方向全域に亘って所定の間隔を隔てて配列されており、左右方向に延びる１本の列をなしている。ＬＥＤライト８によって、照明に伴う消費電力の低減を図ることができるとともに、第１の長手光源６の長寿命化を図ることができる。
【００２０】
第２の長手光源７は、細形蛍光ランプ９を含んでいる。細形蛍光ランプ９は、左右方向に細長く、換言すれば、第１の長手光源６と平行に延びている。細形蛍光ランプ９の長さ方向（左右方向）寸法は、セード５の長さ方向（左右方向）寸法より少し小さい。
ここで、前述した操作スイッチ１１（図３参照）を操作することによって、第１の長手光源６および第２の長手光源７を、個別に、点灯、消灯および点灯中の光量調整を行うことができる。
【００２１】
図３において、（ａ）は、照明具１の電気回路を示した図であり、（ｂ）は、（ａ）において操作スイッチ１１について詳しく示した図である。
操作スイッチ１１について詳説する。ここでの説明は、第１の例に限らず、以降の第２〜第５の例のいずれにもあてはまる。
まず、図３（ａ）を参照して、照明具１には、プラグ１２に接続される電気配線１３、１４が設けられており、電気配線１３は、点灯電源回路２０を経由してから分岐配線１３Ａと分岐配線１３Ｂとに分岐し、電気配線１４は、点灯電源回路２０を経由してから分岐配線１４Ａと分岐配線１４Ｂとに分岐している。
【００２２】
第１の長手光源６は、分岐配線１３Ａと分岐配線１４Ａとに接続され、第２の長手光源７は、分岐配線１３Ｂと分岐配線１４Ｂとに接続されている。そのため、第１の長手光源６および第２の長手光源７は、点灯電源回路２０に対して並列となっており、第１の長手光源６（多数個のＬＥＤライト８）は、分岐配線１３Ａおよび分岐配線１４Ａに対して直列であり、第２の長手光源７（細形蛍光ランプ９）は、分岐配線１３Ｂおよび分岐配線１４Ｂに対して直列である。
【００２３】
プラグ１２を外部のコンセント（図示せず）に差し込み、電流が点灯電源回路２０を経由してから分岐配線１３Ａおよび分岐配線１４Ａを流れると第１の長手光源６が点灯し、点灯電源回路２０を経由した電流が分岐配線１３Ｂおよび分岐配線１４Ｂを流れると第２の長手光源７が点灯する。
ここで、分岐配線１４Ａおよび分岐配線１４Ｂのそれぞれの途中に、操作スイッチ１１が介在されている。詳しくは、図３（ｂ）を参照して、操作スイッチ１１は、分岐配線１４Ａの途中に介在される第１調整スイッチ１５と、分岐配線１４Ｂの途中に介在される第２調整スイッチ１６と、連動スイッチ１７とを含んでいる。操作スイッチ１１は、セード５（図１参照）に取り付けられていてもよいし、セード５から離れた位置であって学習机２（図１参照）において手が届き易い位置に取り付けられていてもよい。
【００２４】
第１調整スイッチ１５を操作することによって、第１の長手光源６に対する印加電圧を零から最大値までの間で任意に調整することができる。これにより、第１の長手光源６単体の点灯、消灯および点灯中の光量調整が可能となる。
第２調整スイッチ１６を操作することによって、第２の長手光源７に対する印加電圧を零から最大値までの間で任意に調整することができる。これにより、第２の長手光源７単体の点灯、消灯および点灯中の光量調整が可能となる。
【００２５】
連動スイッチ１７を操作することによって、第１調整スイッチ１５および第２調整スイッチ１６の両方を動かし、第１の長手光源６に対する印加電圧と、第２の長手光源７に対する印加電圧とを一度に（同期をかけながら）調整することができる。これにより、第１の長手光源６および第２の長手光源７のそれぞれの点灯、消灯および点灯中の光量調整が一度に可能となる。
【００２６】
ここで、第１調整スイッチ１５、第２調整スイッチ１６および連動スイッチ１７のそれぞれが無段階で操作できるのであれば、第１の長手光源６および第２の長手光源７のそれぞれの光量（光の強弱）を連続的に細かく調整（調光）できる。これにより、天板３上を所望の明るさで照明できる。
なお、第１調光スイッチ１５および第２調光スイッチ１６のいずれか、または双方を、光量調整機能のない、オン／オフを切換えるだけの簡単なスイッチとしてもよい。
【００２７】
すなわち、より具体的に照明具１の電気回路を示すと、図３（ｃ）に示すような回路構成としてもよい。図３（ｃ）において、１５Ａは第１入／切スイッチ、１６Ａは第２入／切スイッチ、２０Ａは第１の長手光源６用の点灯電源回路、２０Ｂは第２の長手光源７用の点灯電源回路である。これら以外の各構成要素は、図３（ａ）の構成要素と同様であり、同一または対応する箇所には同一番号を付し、説明については省略する。
図３（ｃ）に示す電気回路構成によれば、第１の長手光源６の点灯および消灯は、第１入／切スイッチ１５Ａを切換えることにより行うことができ、第２の長手光源７の点灯および消灯は第２の入／切スイッチ１６Ａを切換えることにより行うことができ、第１の長手光源６および第２の長手光源７の点灯／消灯を切換えることにより、２つの長手光源６，７による照明と、いずれか一方の長手光源６または７による照明といった照明の切換えおよび光量調整を、簡単な構成によって実現することができる。
【００２８】
また、第１の長手光源６および第２の長手光源７の種類を変えることにより、両方の長手光源が点灯したときに所望のカクテル光による照明を実現することが可能である。
図２（ｂ）を参照して、前述した操作スイッチ１１（厳密には第１調整スイッチ１５であり、図３参照）を操作して第１の長手光源６（ＬＥＤライト８）を点灯させると、天板３上（天板３表面）におけるＬＥＤライト８の照明領域Ａは、破線で挟まれた範囲である。
【００２９】
一方、操作スイッチ１１（厳密には第２調整スイッチ１６であり、図３参照）を操作して第２の長手光源７（細形蛍光ランプ９）を点灯させると、天板３上における細形蛍光ランプ９の照明領域Ｂは、１点鎖線で挟まれた範囲である。
前述したように第１の長手光源６と第２の長手光源７とが互いに隣接していることから、操作スイッチ１１（図３参照）を操作して第１の長手光源６および第２の長手光源７の両方を点灯させると、天板３上に、第１の長手光源６の照明領域Ａと第２の長手光源７の照明領域Ｂとの重複部分Ｃを発生させることができる。
【００３０】
ＬＥＤライト８と細形蛍光ランプ９とでは発光色が異なる（細形蛍光ランプ９の方が比較的暖色系）ことから、天板３上において、重複部分Ｃを、ＬＥＤライト８および細形蛍光ランプ９の互いに異なる発光色の合成光（カクテル光）で照明し、重複部分Ｃでは、暖色と寒色とが混ざり合って色合いの変わった照明が可能となる。
このように、操作スイッチ１１（図３参照）を操作することで第１の長手光源６および第２の長手光源７のうちのどちらか一方または両方を点灯させ、さらに、点灯中の長手光源の光量を調整すれば、天板３上の左右方向全域における照らし具合（換言すれば、明るさであり光出力）を細かく調節できるとともに、所望の消費電力を実現できる。
【００３１】
つまり、照明に伴う消費電力と天板３上の照らし具合とをユーザの好みに応じて選択できる。
ここで、ＬＥＤライト８の発光色をＬＥＤライト８の種類に応じて任意に変更すれば、ＬＥＤライト８単体の発光色または前述したカクテル光によって、天板３上を所望の彩りで照らすことができる。
（２）第２の例
図４において、（ａ）は、第２の例に係る照明具１の底面図であり、（ｂ）は、（ａ）のＢ−Ｂ矢視断面の要部を模式的に示した図である。
【００３２】
図４（ａ）を参照して、第２の例に係る照明具１も、第１の例に係る照明具１と同様に（図２参照）、セード５の内側に収容される光源として、第１の長手光源６と第２の長手光源７とを含んでいる。ただし、第２の例に係る照明具１の第２の長手光源７は、細形蛍光ランプ９（図２参照）を含んでおらず、第１の長手光源６と同じ構成である。
つまり、第２の例に係る照明具１の第２の長手光源７は、第１の長手光源６と同様に、左右方向に沿って配列される多数個（２０個程度）のＬＥＤライト８を含んでいて、左右方向に沿って第１の長手光源６と平行に延びている。そのため、ＬＥＤライト８によって、照明に伴う消費電力の低減を図ることができるとともに、第１および第２の長手光源７の長寿命化を図ることができる。
【００３３】
第２の例に係る照明具１においても、前述した操作スイッチ１１（図３参照）を操作することによって、第１の長手光源６および第２の長手光源７を、個別に、点灯、消灯および点灯中の光量調整を行うことができる。
ここで、図４（ｂ）を参照して、第１の長手光源６および第２の長手光源７のどちらかに着目し、各長手光源のＬＥＤライト８を一斉に点灯すると、天板３上では、左右方向における両端側を除くほとんどの領域が、左右に隣り合うＬＥＤライト８による合成光によって、均一に照射される。そのため、天板３上では、左右方向におけるほぼ全域が均一に明るい。なお、各ＬＥＤライト８から照射される光の照明領域は、各ＬＥＤライト８から延びる２本の破線に囲まれた領域である。
【００３４】
そして、図４（ａ）を参照して、第１の例と同様に、第１の長手光源６および第２の長手光源７の両方を点灯させると、天板３上に、第１の長手光源６の照明領域Ａと第２の長手光源７の照明領域Ｂとの重複部分Ｃ（図２（ｂ）参照）を発生させることができる。これにより、重複部分Ｃを、第１の長手光源６および第２の長手光源７のそれぞれのＬＥＤライト８で重ねて照射し、重複部分Ｃを大変明るく照明することができる。
【００３５】
また、第１の例と同様に、操作スイッチ１１（図３参照）を操作することで、第１の長手光源６および第２の長手光源７のうちのどちらか一方または両方を点灯させ、さらに、点灯中の長手光源の光量を調整すれば、左右方向全域における天板３上の照らし具合をいろいろと細かく調節（調光）できるとともに、所望の消費電力を実現することができる。
つまり、照明に伴う消費電力と天板３上の照らし具合とをユーザの好みに応じて選択できる。
（３）第３の例
図５において、（ａ）は、第３の例に係る照明具１の底面図であり、（ｂ）は、（ａ）のＣ−Ｃ矢視断面の要部を模式的に示した図である。
【００３６】
図５（ａ）に示す第３の例では、第２の例の第１の長手光源６および第２の長手光源７のそれぞれにおいて、ＬＥＤライト８（図４（ａ）参照）を、点灯時にＬＥＤライト８よりも明るく光るパワーＬＥＤライト１０に変更して、その分、パワーＬＥＤライト１０の数を少なくしている。第３の例においてパワーＬＥＤライト１０以外の構成は、第２の例の構成と同じである。
【００３７】
第１の長手光源６および第２の長手光源７のそれぞれにおけるパワーＬＥＤライト１０の数は、５〜１０個であるが、各パワーＬＥＤライト１０の光量が大きいので、第２の例と同様に、天板３上において左右方向におけるほぼ全域を、左右に隣り合うパワーＬＥＤライト１０による合成光によって均一に照射できる（図５（ｂ）参照）。
（４）第４の例
図６において、（ａ）は、第４の例に係る照明具１の底面図であり、（ｂ）は、（ａ）のＤ−Ｄ矢視断面を模式的に示した図であり、（ｃ）は、（ｂ）においてスポット照明用光源１８の照射方向を変更した状態を示す図である。
【００３８】
図６（ａ）を参照して、第４の例に係る照明具１では、第１の長手光源６が、第１の例における第２の長手光源７（図２参照）と同じ構成（左右方向に沿って配列される構成）である。ここで、第４の例では、第１の長手光源６を、細形蛍光ランプ９を含む構成としているが、第１の例の第１の長手光源６と同様に、ＬＥＤライト８を含む構成（図２参照）としてもよい。
【００３９】
また、第４の例に係る照明具１では、第１の長手光源６とは別の光源として、第１の長手光源６の長さ方向（左右方向）両側に、スポット照明用光源１８が設けられている。つまり、スポット照明用光源１８は、全部で２つある。各スポット照明用光源１８は、天板３（図１参照）表面を上から臨む多数個のＬＥＤライト１９を含んでいる。ＬＥＤライト１９によって、照明に伴う消費電力の低減を図ることができるとともに、スポット照明用光源１８の長寿命化を図ることができる。
ここで、第４の例に係る照明具１では、前述した電気回路（図３（ａ）参照）において、第２の長手光源７の代わりに、スポット照明用光源１８が存在している。そのため、操作スイッチ１１（図３参照）を操作することによって、第１の長手光源６および両側２つ（後述する第５の例では１つ）のスポット照明用光源１８を、個別に、点灯、消灯および点灯中の光量調整を行うことができる。ここで、２つのスポット照明用光源１８に関し、点灯、消灯および光量調整が、両方のスポット照明用光源１８について同時に実施できてもよいし、各スポット照明用光源１８について別々に実施できてもよいが、ここでは、別々に実施できるものとする。
【００４０】
操作スイッチ１１（図３参照）を操作することで第１の長手光源６を点灯させると、図６（ｂ）を参照して、第１の長手光源６によって照明される天板３上における照明領域Ｄは、１点鎖線で挟まれた範囲である。
一方、操作スイッチ１１（図３参照）を操作することで左側のスポット照明用光源１８を点灯させると、このスポット照明用光源１８によって照明される天板３上の照明領域Ｅは、左側２本の破線で挟まれた範囲である。
【００４１】
また、操作スイッチ１１を操作することで右側のスポット照明用光源１８を点灯させると、このスポット照明用光源１８によって照明される天板３上の照明領域Ｆは、右側２本の破線で挟まれた範囲である。
第１の長手光源６の左右方向両側にスポット照明用光源１８があることから、操作スイッチ１１を操作することで第１の長手光源６および左右のスポット照明用光源１８の全てを点灯させると、第１の長手光源６による照明領域Ｄの両側に左右のスポット照明用光源１８による照明領域ＥおよびＦのそれぞれの一部が重複する。つまり、左右２つのスポット照明用光源１８は、天板３上の照明領域Ｄの両側を、照明領域Ｄと一部重複するように照明する。これにより、照明領域Ｄと照明領域Ｅ、Ｆとの重複部分Ｇを、ＬＥＤライト１９および細形蛍光ランプ９の互いに異なる発光色の合成光（カクテル光）で照射し、重複部分Ｇにおいては色合いの変わった照明を実現できる。
【００４２】
ここで、各スポット照明用光源１８は、可動であって、自身が首を振る等によって姿勢を変えることで、図６（ｃ）に示すように、照射方向を変更できる。これによって、各スポット照明用光源１８による照明領域Ｅ、Ｆを自在にずらすことができるので、照明領域Ｄと照明領域Ｅ、Ｆとの重複部分Ｇを所望の位置に発生させることができる。これにより、いわゆる光色カクテル照明が可能となる。
【００４３】
また、第１の長手光源６（細形蛍光ランプ９）によって天板３上の左右方向中央領域（照明領域Ｄ）における一定の明るさを確保しながら、左右のスポット照明用光源１８によ
って、天板３上における必要な位置をより明るく照明する（照度アップを図る）ことができる。
そして、図６（ｃ）に示すように各スポット照明用光源１８の姿勢を変えることで、２つの重複部分Ｇ同士を重ねて重複部分Ｈを発生させると、重複部分Ｈは、光色カクテル部分となり、重複部分Ｈでは、天板３上における他の領域と比べてさらに色合いの変わった照明を実現できる。
【００４４】
また、各スポット照明用光源１８の発光色を変えてみたり、どちらかのスポット照明用光源１８だけを点灯させてみたりすれば、一層彩り豊かな光色カクテル照明が可能となる。
このように、操作スイッチ１１（図３参照）を操作することで、第１の長手光源６および２つのスポット照明用光源１８のうちのいずれか１つもしくは２つまたはすべてを点灯させ、さらに、点灯中の光源の光量を調整すれば、左右方向全域（特に両側）における天板３上の照らし具合をいろいろと細かく調節（調光）できるとともに、所望の消費電力を実現することができる。
【００４５】
つまり、照明に伴う消費電力と天板３上の照らし具合とをユーザの好みに応じて選択できる。
（５）第５の例
図７において、（ａ）は、第５の例に係る照明具１の底面図であり、（ｂ）は、（ａ）のＥ−Ｅ矢視断面を模式的に示した図であり、（ｃ）は、（ｂ）においてスポット照明用光源１８の照射方向を変更した状態を示す図である。
【００４６】
図７を参照して、第５の例では、スポット照明用光源１８が第１の長手光源６の長さ方向（左右方向）における片側一方に１つ設けられる点が、第４の例と異なる。なお、図７では、スポット照明用光源１８が第１の長手光源６の右側に設けられているが、左側に設けられても構わない。また、第１の長手光源６は、細形蛍光ランプ９を含む構成（図２の第２の長手光源７を参照）であってもよいし、ＬＥＤライト８を含む構成（図２の第１の長手光源６を参照）であってもよい。
【００４７】
なお、第５の例では、照明具１は、天板３から上方へ向けて立設された支柱２１に固定されているが（図７（ｂ）参照）、前述したように、棚板４（図１参照）に固定されていても構わない。
第５の例では、操作スイッチ１１（図３参照）を操作することで第１の長手光源６を点灯させると、図７（ｂ）を参照して、第１の長手光源６によって照明される天板３上における照明領域Ｉは、１点鎖線で挟まれた範囲である。
【００４８】
一方、操作スイッチ１１（図３参照）を操作することで右側のスポット照明用光源１８を点灯させると、このスポット照明用光源１８によって照明される天板３上の照明領域Ｊは、破線で挟まれた範囲である。
第１の長手光源６の右側にスポット照明用光源１８があることから、操作スイッチ１１を操作することで第１の長手光源６および右側のスポット照明用光源１８の全てを点灯させると、第１の長手光源６による照明領域Ｉの右側にスポット照明用光源１８による照明領域Ｊの一部が重複する。つまり、このスポット照明用光源１８は、天板３上の照明領域Ｉの片側一方を、照明領域Ｉと一部重複するように照明する。これにより、照明領域Ｉと照明領域Ｊとの重複部分Ｋを、第１の長手光源６およびスポット照明用光源１８の互いに異なる発光色の合成光（カクテル光）で照射し、重複部分Ｋにおいては色合いの変わった照明を実現できる。
【００４９】
ここで、スポット照明用光源１８は、第４の例と同様に、可動式であって、自身が首を振る等によって姿勢を変えることで、図７（ｃ）に示すように、照射方向を変更できる。これによって、スポット照明用光源１８による照明領域Ｊを自在にずらすことができるので、照明領域Ｉと照明領域Ｊとの重複部分Ｋ（光色カクテル領域）を所望の位置に発生させることがで、彩り豊かな光色カクテル照明が可能となる。
（６）第６の例
図８において、（ａ）は、第６の例に係る照明具１の底面図であり、（ｂ）は、（ａ）のＦ−Ｆ矢視断面を模式的に示した図であり、（ｃ）は、第５の例に係る照明具１における照明エリアを説明するための図解的な平面図である。
図８を参照して、第６の例では、スポット照明用光源１８が第１の長手光源６の長さ方向（左右方向）に交差方向に隣接する位置、より具体的には長手光源６の長さ方向中央部に隣接して設けられていることが特徴である。第１の長手光源６は、細形蛍光ランプ９を含む構成（図２の第２の長手光源７を参照）であってもよいし、ＬＥＤライト８を含む構成（図２の第１の長手光源６を参照）であってもよい。
【００５０】
スポット照明用光源１８は、先の実施例と同様、多数個のＬＥＤライト１９を含んでいる。多数個のＬＥＤライト１９は、たとえば、全てが白色ＬＥＤライトや、電球色または昼白色のＬＥＤライトであってもよいし、Ｒ、Ｇ、Ｂのライトが混在された構成であってもよい。後者の場合、Ｒ、Ｇ、Ｂのライトを択一的に、または選択的に点灯できるように構成されているのが好ましく、それによって、多彩なカクテル照明を実現することができる。
この照明具１において、第１の長手光源６が点灯されると、領域Ｌが照明される。また、第１の長手光源６は、平行な２列の光源を含んでいるため、２列の光源を点灯した場合と、２列のうちの１列だけを点灯した場合とで、領域Ｌの照明輝度を切換えることができる。
スポット照明用光源１８は、先の実施例と同様、その照明方向を変更できるように、可動式に設けられている。その結果、スポット照明用光源１８は、ユーザが照明方向を操作することにより、照明領域Ｍを、Ｍ１、Ｍ２、Ｍ３、Ｍ４と変更することができる。なお、図示は例示であり、４つの方向のみではなく、徐々に方向を切り換えられる。これにより、スポット照明用光源１８の照明する領域は、２点鎖線で囲む領域Ｍの範囲となる。
【００５１】
また、スポット照明用光源１８の照明光は、前述したように、白色、電球色、昼白色ＬＥＤまたはＲ、Ｇ、ＢのＬＥＤの点灯を切換えることができる構成とすることにより、多彩な照明を行え、照明領域Ｍにおいて、第１の長手光源６による照明と相挨って、所望のカクテル照明を行うことができる。
特に、スポット照明光源１８の照明領域Ｍは、第１の長手光源６の照明領域Ｌの中央部と重複しているので、ユーザは、学習机の天板の上の作業に集中する際に照明が必要な領域を、第１の長手光源６およびスポット照明用光源１８によって効率良く、かつ所望のカクテル照明によって照らすことができる。
【００５２】
この発明は、以上説明した実施形態に限定されるものではなく、請求項記載の範囲内において種々の変更が可能である。
【符号の説明】
【００５３】
１    学習家具用照明具
２    学習机
３    天板
６    第１の長手光源
７    第２の長手光源
８    ＬＥＤライト
９    細形蛍光ランプ
１１  操作スイッチ
１８  スポット照明用光源
１９  ＬＥＤライト
Ｄ，Ｅ，Ｆ，Ｇ，Ｈ，Ｉ，Ｊ，Ｋ，Ｌ，Ｍ    照明領域
【図１】
2011120883.tif 000003
【図２】
2011120883.tif 000004
【図３】
2011120883.tif 000005
【図４】
2011120883.tif 000006
【図５】
2011120883.tif 000007
【図６】
2011120883.tif 000008
【図７】
2011120883.tif 000009
【図８】
2011120883.tif 000010